(57)【要約】【課題】  本発明は、椅子や机などの家具の脚部を構成する家具用脚及びこの家具用脚を備えてなる家具に関するものであり、簡単な構成で十分な強度を有し、しかも使用後の運搬や保管が容易な新規な家具用脚及びこの家具用脚を備えてなる家具を提供することを目的とする。【解決手段】  １ないし複数のシート状部材の側端辺同士を接合することにより柱状に形成したことを特徴とする家具用脚、及びこの家具用脚を備えてなる家具であって、概家具は、１ないし複数本の家具用脚の上部に天板面を配したことを特徴とする家具。【選択図】  図５
2010035723.tif 000002
【特許請求の範囲】
【請求項１】
１ないし複数のシート状部材の側端辺同士を接合することにより柱状に形成したことを特徴とする家具用脚。
【請求項２】
シート状部材の側端辺同士の接合にあたり、当該側端辺同士を突き合わせて接合してなる請求項１に記載の家具用脚。
【請求項３】
側端辺同士を突き合わせて接合した接合部を外側に向かって突出させてなる請求項２に記載の家具用脚。
【請求項４】
シート状部材には屈曲位置を示す１ないし複数筋の経線が設けられてなり、特に、所定の屈曲位置に対し、複数の隣接した経線を施してなる請求項１ないし３のいずれか１項に記載の家具用脚。
【請求項５】
請求項１ないし４のいずれか１項に記載の家具用脚を備えたことを特徴とする家具。
【請求項６】
１ないし複数本の家具用脚の上部に天板面を配してなる請求項５に記載の家具。
【請求項７】
天板面がシート状部材における上端辺の一部ないし全部に連通した状態で形成されてなる請求項６に記載の家具。
【請求項８】
シート状部材における天板面の屈曲位置の端部に、切り込み及び／又は切り欠きを設けてなる請求項７に記載の家具。
【発明の詳細な説明】
【技術分野】
【０００１】
本発明は、椅子や机などの家具の脚部を構成する家具用脚及びこの家具用脚を備えてなる家具に関する。
【背景技術】
【０００２】
ダンボールや厚紙などのシート状部材を素材とした組立て椅子などの家具は、素材が軽く、安価で入手し易く、しかも処分が簡単等の利点を有することから、従来、数多く開発されている（例えば、下記特許文献１〜６参照。）。
【０００３】
【特許文献１】実公昭４７−３５０５０号公報
【特許文献２】実公昭４８−３６３９号公報
【特許文献３】特開平１１−３２８６２号公報
【特許文献４】特開２００１−１９０３５４号公報
【特許文献５】特開２００５−２１１９９号公報
【特許文献６】実用新案登録第３１３９３３５号
【発明の開示】
【発明が解決しようとする課題】
【０００４】
前記特許文献１及び２に記載の椅子は、複数の部品を組み合すことにより椅子を組立てるものであるが、すわり心地や充分な強度を確保するために部品点数が多くなり、組立て及び使用後の分解に時間がかかる上、複数の部品の管理が非常に煩雑になるという問題があった。
【０００５】
一方、前記特許文献３〜６に記載の椅子は、一枚の段ボールを所定の経線（屈曲位置を示す筋目）に沿って折ることにより椅子状に形成するものであるが、一旦椅子状に形成すると嵩高くなることから、使用後の運搬や保管においては、折り畳みを解いて平面状に戻さなければならないといった問題があった。
【０００６】
そこで、本発明者が、このような問題を解決すべく鋭意検討を重ねた結果、１ないし複数のシート状部材の側端辺同士を接合することにより柱状に形成したことを特徴とする本発明の家具用脚を開発するに至ったのである。
【０００７】
即ち、本発明者は、椅子や机などの家具の土台となる家具用脚につき、１ないし複数のシート部材の端辺同士を接合した柱状体とすれば、簡単に折り畳むことができ、これより使用後の運搬や保管が簡単になるとの知見を得たのである。
【０００８】
特に、前記シート状部材の側端辺同士の接合にあたり、当該側端辺同士を突き合わせて接合すると、当該接合部が柱状体を補強し、もって通常の使用下において求められるに十分な強度を確保できるとの知見も得たのである。
【０００９】
又、シート状部材の側端辺同士を突き合わせて接合した接合部を外側に向かって突出させると、当該接合部分の可動範囲が比較的広くなることから、当該接合部分を中心に折り込めばより簡単に略平面状にすることができ、これより使用後の運搬や保管が一層簡単になるとの知見も得たのである。
【００１０】
本発明は、上記知見に基づき完成されたものであり、簡単な構成で十分な強度を有し、しかも使用後の運搬や保管が容易な新規な家具用脚及びこの家具用脚を備えてなる家具を提供することを目的とする。
【課題を解決するための手段】
【００１１】
本発明の家具用脚は、１ないし複数のシート状部材の側端辺同士を接合することにより柱状に形成したことを特徴とする。
以下、本発明の家具用脚について詳細に説明する。
【００１２】
本発明の家具用脚は、椅子や机、テーブルその他の１ないし複数の脚部を有する家具における脚部を担うものであり、１ないし複数のシート状部材を素材とする。
【００１３】
ここで、本発明の家具用脚において用いられるシート状部材としては、折り曲げ加工が容易な一方で、家具用脚として形成された際に、使用に耐え得る程度の物理的強度を有するものであればその素材及び厚みについては特に限定されるものではない。具体的に例えば、厚さ１〜１０ｍｍ程度の厚紙、段ボール、プラスチックシート及び金属板等を挙げることができる。
【００１４】
中でも、軽量で折り曲げ加工が容易であり、しかも安価で入手し易く、更に処分が簡単な段ボールをシート状部材として用いることが一般的となる。
【００１５】
そして、本発明の家具用脚は、前記シート状部材の側端辺同士を接合することにより柱状に形成される。
【００１６】
更に詳しくは、本発明の家具用脚は、一枚のシート状部材を屈曲ないし湾曲することにより側端辺同士を接合したり、複数のシート状部材を必要に応じて屈曲ないし湾曲することにより一のシート状部材の一側端辺を他のシート状部材の一側端辺に接合したりすることにより、円柱状、或いは三角柱、四角柱その他の角柱状に形成するのである。
【００１７】
この結果、本発明の家具用脚は、簡単に折り畳むことができ、これより使用後の運搬や保管が簡単になるのである。
【００１８】
なお、本発明において、シート状部材を屈曲することにより角柱状の家具用脚における１ないし複数部分の角部を形成する場合にあっては、シート状部材に対し、屈曲位置を示す１ないし複数筋の経線（屈曲位置を示す筋目）を設け、簡単且つ正確に角部を形成できるように構成することが好ましい。
【００１９】
本発明の家具用脚においては、前記シート状部材の側端辺同士の接合にあたり、当該側端辺同士を突き合わせて接合することが好ましい。
【００２０】
言い換えれば、本発明の家具用脚においては、前記シート状部材の側端辺同士の接合にあたり、シート状部材の側端辺１〜２０ｃｍ程度内側（好ましくは３〜１０ｃｍ程度内側）を屈曲することにより接合面を形成し、この接合面を対応する接合面に対峙するように突き合せた状態で接合することが好ましいのである。
【００２１】
即ち、前記シート状部材の側端辺同士の接合にあたり、当該側端辺同士を突き合わせて接合すると、当該接合部が柱状体を補強し、もって通常の使用下において求められるに十分な強度を確保できるのである。
【００２２】
又、本発明の家具用脚においては、シート状部材の側端辺同士を突き合わせて接合すると共に接合部を外側に向かって突出させることが好ましい。
【００２３】
言い換えれば、本発明の家具用脚においては、前記シート状部材の側端辺同士の接合にあたり、シート状部材の側端辺を屈曲することにより接合面を形成し、この接合面を他の接合面に対峙するように突き合せた状態で接合し、更にこの接合面同士が重なった接合部を柱状の家具用脚の外側に突出させて配置することが好ましいのである。
【００２４】
即ち、シート状部材の側端辺同士を突き合わせて接合すると共に接合部を外側に向かって突出させると、当該接合部分の可動範囲が比較的広くなることから、当該接合部分を中心に折り込めば簡単に略平面状にすることができ、これより使用後の運搬や保管が非常に簡単になるのである。
【００２５】
なお、本発明においては、シート状部材の側端辺同士の接合にあたり、その接合手段は特に限定されるものではなく、接着剤や粘着剤を用いて接合面同士を貼付したり、糸や紐などにより接合面同士を縫い合わせたり、ホチキスその他の係止部材を用いて接合面同士を係止すれば良い。
【００２６】
しかしながら、一般に接着剤や粘着剤による貼付は耐水性及び耐候性に劣り、糸や紐による縫い合わせは作業性に劣る。
【００２７】
そのため、本発明においては、ホチキスなどの係止部材を用いて接合面同士を係止することが好ましい。
【００２８】
又、ホチキスなどの係止部材を用いた簡易的な接合は、その接合状態に良い意味での遊び（自由度の拡大）を設けることができるため、接合部分の可動範囲を一層広くする利点も有するのである。
【００２９】
ところで、前述の如く、本発明の家具用脚においては、使用後の運搬時や保管時に折り畳んで略平面状にできるといった利点があるが、当該家具用脚及び家具の形状やシート上部材の厚みなどによっては、この折り畳みの際に屈曲部分の一部が裂けたりする場合がある。
【００３０】
これは、シート状部材にある程度の厚みがあり、折り畳むことによってその厚みが増え、厚みの増した部分を包み込む屈曲部において当該厚みに対する追随性が悪くなり、その負荷に抗しきれない場合に生じる問題である。
【００３１】
そこで、本発明においては、シート状部材における１ないし複数の屈曲位置、特に折り曲げたシート状部材が集中する屈曲位置に対し、複数の隣接した経線を施し、当該屈曲位置の厚みに対する追随性を向上することが好ましい。
【００３２】
次に本発明の家具を詳細に説明する。
【００３３】
本発明の家具は、前記本発明の家具用脚を備えたことを特徴とするものである。従って、脚部を有する家具であって、特に、その土台としての脚部に前記本発明の家具用脚を１ないし複数本用いたものであれば脚部を除くその他の部分については、特に限定されるものではない。
【００３４】
当該家具の一般的な例としては、１ないし複数本の前記本発明の家具用脚の上部に天板面を配し、この天板面を天板としたり、座面としたりすることにより、テーブルや机或いは椅子などの家具として構成したものを挙げることができる。
【００３５】
ここで、前記天板面は、前記本発明の家具用脚とは別体としても良い。
【００３６】
しかしながら、本発明の家具においては、天板面をシート状部材における上端辺の一部ないし全部に連通した状態で形成し、前記天板面が前記本発明の家具用脚と一体となるように構成することが好ましい。
【００３７】
即ち、このように構成することにより、複数の部品を管理することがなくなり、取り扱い性が向上するのである。
【００３８】
なお、この場合、天板面とシート状部材上端辺の境界位置に沿って屈曲位置を示す経線を設けることが好ましい。
【００３９】
ところで、天板面とシート状部材上端辺の境界位置は、通常、家具用脚を形成するための屈曲方向と、天板の屈曲方向が並行でないことから、繰り返しの使用により裂けたり、破れたりしやすくなる。これは、特に前記境界位置の端部において顕著となる。
【００４０】
そこで、本発明の家具においては、シート状部材における天板面の屈曲位置の端部に、切り込み及び／又は切り欠きを設け、当該位置が裂けたり破れたりすることを防止することが好ましい。
【発明の効果】
【００４１】
本発明は、前記構成を有し、簡単な構成で十分な強度を有し、しかも使用後の運搬や保管が容易な新規な家具用脚及びこの家具用脚を備えてなる家具である。
【００４２】
即ち、本発明の家具用脚は、椅子や机などの家具の土台となるものであり、１ないし複数のシート部材の端辺同士を接合した柱状体としているから、簡単に折り畳むことができ、これより使用後の運搬や保管が簡単になるのである。
【００４３】
特に、前記シート状部材の側端辺同士の接合にあたり、当該側端辺同士を突き合わせて接合すると、当該接合部が柱状体を補強し、もって通常の使用下において求められるに十分な強度を確保できるのである。
【００４４】
又、シート状部材の側端辺同士を突き合わせて接合すると共に接合部を外側に向かって突出させると、当該接合部分の可動範囲が比較的広くなることから、当該接合部分を中心に折り込めばより簡単に平面状にすることができ、これより使用後の運搬や保管が一層簡単になるのである。
【００４５】
更に、シート状部材における１ないし複数の屈曲位置、特に折り曲げたシート状部材が集中する屈曲位置に対し、複数の隣接した経線を施すことにより、当該屈曲位置の厚みに対する追随性を向上することができるのである。
【発明を実施するための最良の形態】
【００４６】
以下、本発明の実施例を説明するが、本発明はこの実施例に限定されるものではない。
【実施例１】
【００４７】
図１は、実施例１に係る本発明の家具用脚１を示す模式図である。更に詳しくは、図１（ａ）はシート状部材２を展開した図であり、両側端辺２１の少し内側に経線３を設けている。一方、図１（ｂ）はこのシート状部材２を４枚用い、各シート状部材２の側端辺２１同士を突き合わせてホチキス４で接合した状態を示す模式図である。
【００４８】
即ち、本実施例における家具用脚１においては、前記４枚のシート状部材２の側端辺２１同士の接合にあたり、各シート状部材２の側端辺２１を経線３に沿って屈曲することにより接合面を形成し、この接合面を他の接合面に対峙するように突き合せた状態で接合しているから、接合部が家具用脚１を補強し、もって通常の使用下において求められるに十分な強度を確保できるのである。
【００４９】
又、本実施例における家具用脚１においては、前記４枚のシート状部材２の側端辺２１同士の接合にあたり、各シート状部材２の側端辺２１同士を突き合わせて接合すると共に接合部を外側に向かって突出させているから、当該接合部分の可動範囲が比較的広くなり、当該接合部分を中心に折り込めば簡単に略平面状にすることができることから、使用後の運搬や保管が非常に簡単になるのである。
【実施例２】
【００５０】
図２は、実施例２に係る本発明の家具用脚１を示す模式図である。更に詳しくは、図１（ａ）はシート状部材２を展開した図であり、両側端辺２１の少し内側及び角部を形成する屈曲位置に経線３を設けている。一方、図１（ｂ）はこのシート状部材２を経線３に沿って屈曲すると共に、シート状部材２の側端辺２１同士を突き合わせてホチキス４で接合した状態を示す模式図である。
【００５１】
即ち、本実施例における家具用脚１は、１枚のシート状部材２を屈曲することにより柱状に形成したものであり、その他については、前記実施例１とほぼ同様であることから、繰り返しを避けるためにここでは説明を省略する。
【実施例３】
【００５２】
図３は、前記実施例２に係る本発明の家具用脚１を備えてなる本発明の家具５を示す模式図である。
【００５３】
更に詳しくは、本実施例に係る家具５は、前記実施例２において説明した本発明の家具用脚１を４本用い、この家具用脚１の上部に天板面６を配置することによりテーブルを構成したものである。
【実施例４】
【００５４】
図４は、実施例４に係る本発明の家具５を形成するシート状部材２を展開した状態を示す模式図であり、両側端辺２１、屈曲位置、及びシート状部材の上端と天板面６の境界位置に経線３を設けている。
【００５５】
図５は、本実施例に係る家具５を組立てる状態を示す模式図であり、図５（ａ）は、各経線３を屈曲し、このシート状部材２の側端辺２１同士を突き合わせてホチキス４で接合することにより柱状の家具用脚１を形成する状態を示す模式図であり、図５（ｂ）及び（ｃ）は２枚の天板面６を経線に沿って屈曲することにより家具用脚１の上端に配置する状態を示す模式図である。
【００５６】
即ち、本実施例における家具５は、一本の家具用脚１の上端に天板面６を配置することにより椅子を構成したものであり、特に、家具用脚１と天板面６が一体となったものである。
【００５７】
図６は、本実施例に係る本発明の家具５を折り畳む状態を示す模式図である。即ち、本実施例に係る本発明の家具５を折り畳むには、まず、図６（ａ）に示すように２枚の天板面６を跳ね上げ、接合部を対向する角に向かって押込むことにより、図６（ｂ）の状態にする。
【００５８】
次いで、図６（ｃ）に示すように、接合部を中心に折り畳み、最後に２枚の天板面を引き下ろし、略平面状にするのである。
【００５９】
なお、図４のシート状部材２の展開図及び図７の折り畳んだ状態を上方から見た図に示すように、本実施例に係る本発明の家具５は、所定の屈曲部位に複数の隣接する経線３を入れると共に、シート状部材２における天板面６の折り曲げ位置の端部に、切り込み７を設けているから、当該屈曲位置の厚みに対する追随性が向上しており、裂けや破れが生じることを防止することができるのである。
【図面の簡単な説明】
【００６０】
【図１】図１は、実施例１に係る本発明の家具用脚構成するシート状部材、及び家具用脚を示す模式図である。
【図２】図２は、実施例２に係る本発明の家具用脚を構成するシート状部材、及び家具用脚を示す模式図である。
【図３】図３は、実施例３に係る本発明の家具を示す模式図である。
【図４】図４は、実施例４に係る本発明の家具を構成するシート状部材を示す模式図である。
【図５】図５は、実施例４に係る本発明の家具を組立てる状態を示す模式図である。
【図６】図６は、実施例４に係る本発明の家具を折り畳む状態を示す模式図である。
【図７】図７は、実施例４に係る本発明の家具の折り畳んだ状態を上方から見た図である。
【符号の説明】
【００６１】
１  家具用脚
２  シート状部材
３  経線
４  ホッチキス
５  家具
６  天板面
７  切り込み
【図１】
2010035723.tif 000003
【図２】
2010035723.tif 000004
【図３】
2010035723.tif 000005
【図４】
2010035723.tif 000006
【図５】
2010035723.tif 000007
【図６】
2010035723.tif 000008
【図７】
2010035723.tif 000009